(57)【要約】【課題】被点検装置の点検結果のデータを手動で入力、修正する手間を省略できる設備点検装置を得る。【解決手段】設備点検装置は、被点検装置の数値情報から画像データを作成する画像データ作成部と、画像データから第１の数値データを作成する画像認識部と、被点検装置の数値情報から音声データを作成する音声データ作成部と、音声データから第２の数値データを作成する音声認識部と、画像認識部で作成された第１の数値データと音声認識部で作成された第２の数値データとを比較して点検結果のデータを決定する点検結果照合部とを有する。【選択図】図１
2015153342.tif 000002
【特許請求の範囲】
【請求項１】
被点検装置の数値情報から画像データを作成する画像データ作成部と、
前記画像データから第１の数値データを作成する画像認識部と、
前記被点検装置の前記数値情報から音声データを作成する音声データ作成部と、
前記音声データから第２の数値データを作成する音声認識部と、
前記画像認識部で作成された前記第１の数値データと前記音声認識部で作成された前記第２の数値データとを比較して点検結果のデータを決定する点検結果照合部と、
を有することを特徴とする設備点検装置。
【請求項２】
前記点検結果のデータを表示する点検結果表示部を備え、
前記第１の数値データと前記第２の数値データが同じ場合は、前記点検結果表示部に前記点検結果のデータとして表示することを特徴とする請求項１に記載の設備点検装置。
【請求項３】
前記点検結果のデータを蓄積する点検結果蓄積部と、
前記点検結果蓄積部に、前回の点検結果のデータを保持する手段とを備え、
前記点検結果照合部は、前記第１の数値データと前記第２の数値データとを比較する際に、前記前回の点検結果のデータとも比較して前記点検結果のデータを決定する手段を有することを特徴とする請求項1又は請求項２に記載の設備点検装置。
【請求項４】
前記画像認識部は、過去の訂正内容と画像とを保持する認識辞書を有すると共に、前記第１の数値データと前記認識辞書とを照合する手段を有することを特徴とする請求項1又は請求項２に記載の設備点検装置。
【請求項５】
外部の設備管理システムから過去の点検結果のデータを取得する点検結果受信部を備え、
前記点検結果照合部は、前記第１の数値データと前記第２の数値データとを比較する際に、前記過去の点検結果のデータとも比較して前記点検結果のデータを決定する手段を有することを特徴とする請求項1又は請求項２に記載の設備点検装置。
【請求項６】
前記画像認識部は、外部の設備管理システムの画像認識サーバとの通信手段と、
前記画像認識サーバが作成した前記第１の数値データを受信する手段とを有し、
前記音声認識部は、前記外部の設備管理システムの音声認識サーバとの通信手段と、
前記音声認識サーバが作成した前記第２の数値データを受信する手段と、
を有することを特徴とする請求項1又は請求項２に記載の設備点検装置。
【請求項７】
被点検装置の数値情報から画像データを作成する画像データ作成部と、
前記画像データから第１の数値データを作成する画像認識部と、
前記被点検装置の前記数値情報から音声データを作成する音声データ作成部と、
前記音声データから第２の数値データを作成する音声認識部と、
前記画像認識部で作成された前記第１の数値データと前記音声認識部で作成された前記第２の数値データとを比較して点検結果のデータを決定する点検結果照合部と、
前記点検結果のデータを外部の設備管理システムに送信する点検結果送信部と、を有し、
前記点検結果のデータを前記設備管理システムにおいて保持及び管理することを特徴する設備点検管理システム。
【発明の詳細な説明】
【技術分野】
【０００１】
この発明は、設備点検装置および設備点検管理システムに関し、特に、変圧器などの配電設備やポンプなどのプラント監視設備の設備点検業務に用いる設備点検装置および設備点検管理システムに関するものである。
【背景技術】
【０００２】
従来の設備点検装置は、点検作業者が目視で設備を点検し、その点検結果を音声で入力している。（例えば、特許文献１参照）
また、特許文献１においては、点検現場における点検作業の効率を改善することを目的とし、点検現場で点検対象の画像を撮影して点検対象を特定することにより、その点検対象に関する点検項目を点検作業者に表示し、点検現場における点検作業者の負担を軽減することが開示されている。
【先行技術文献】
【特許文献】
【０００３】
【特許文献１】特開平１１−１３４３６９号公報
【発明の概要】
【発明が解決しようとする課題】
【０００４】
しかしながら、従来の設備点検装置および設備点検管理システムでは、音声で点検結果を入力するため、音声認識の精度が低い場合、音声が認識されず入力できない不具合や誤入力される不具合があった。その場合、入力されなかったデータを入力するため、あるいは誤入力された点検結果を修正するために、例えばキーボードやタッチパネルを用いて手動でデータを入力・修正する必要があり、手動によるデータ入力・修正の手間がかかるといった問題があった。
【０００５】
この発明は上記のような課題を解決するためになされたものであり、点検対象の数値情報を画像により入力できるとともに、画像データを点検結果のデータとして用いることができるため、点検結果のデータを手動で入力・修正する頻度を軽減することができ、手動による入力の手間を省略できる設備点検装置および設備点検管理システムを提供することを目的とする。
【課題を解決するための手段】
【０００６】
この発明に係わる設備点検装置は、被点検装置の数値情報から画像データを作成する画像データ作成部と、前記画像データから第１の数値データを作成する画像認識部と、前記被点検装置の前記数値情報から音声データを作成する音声データ作成部と、前記音声データから第２の数値データを作成する音声認識部と、前記画像認識部で作成された前記第１の数値データと前記音声認識部で作成された前記第２の数値データとを比較して点検結果のデータを決定する点検結果照合部と、を有するものである。
また、この発明に係わる設備点検管理システムは、被点検装置の数値情報から画像データを作成する画像データ作成部と、前記画像データから第１の数値データを作成する画像認識部と、前記被点検装置の前記数値情報から音声データを作成する音声データ作成部と、前記音声データから第２の数値データを作成する音声認識部と、前記画像認識部で作成された前記第１の数値データと前記音声認識部で作成された前記第２の数値データとを比較して点検結果のデータを決定する点検結果照合部と、前記点検結果のデータを外部の設備管理システムに送信する点検結果送信部とを有し、前記点検結果のデータを前記設備管理システムにおいて保持及び管理するものである。
【発明の効果】
【０００７】
この発明の設備点検装置および設備点検管理システムによれば、被点検装置の数値情報の画像データから作成した数値データを点検結果のデータとして用いることができるので、点検結果のデータを手動で入力、修正する頻度を軽減することができ、手動による入力の手間を省略できる。
【図面の簡単な説明】
【０００８】
【図１】この発明の実施の形態１における設備点検装置のブロック図である。
【図２】この発明の実施の形態１における設備点検装置の一実施例である。
【図３】この発明の実施の形態１における設備点検装置の点検処理の流れを示すフローチャートである。
【図４】この発明の実施の形態２における設備点検装置のブロック図である。
【図５】この発明の実施の形態２における設備点検装置の点検処理の流れを示すフローチャートである。
【図６】この発明の実施の形態３における設備点検装置のブロック図である。
【図７】この発明の実施の形態４における設備点検装置のブロック図である。
【図８】この発明の実施の形態５における設備点検装置のブロック図である。
【発明を実施するための形態】
【０００９】
実施の形態１．
図１は、この発明の実施の形態１における設備点検装置を示すブロック図である。以下、図１に基づいてこの発明の実施の形態１について説明する。
図１において、設備点検装置１０は、点検対象設備に付属する温度計などの計器の数値情報を映像信号として入力するカメラ１１１、その映像信号から画像データを作成する画像入力部１４１、その画像データから数値データを作成する画像認識部１５１を有している。また、設備点検装置１０は、作業者が読み上げた点検結果の数値情報を音声信号として入力するマイク１１２、その音声信号から音声データを作成する音声入力部１４２、その音声データから数値データを作成する音声認識部１５２を有している。
【００１０】
さらに、設備点検装置１０は、画像認識部１５１、音声認識部１５２でそれぞれ作成した数値データを比較・照合し、点検結果のデータを決定する点検結果照合部１６１、点検結果のデータを表示する点検結果表示部１６２を有している。
また、設備点検装置１０は、点検結果表示部１６２に表示した点検結果のデータがいずれも目視と異なる場合には、正しいデータを入力するためのタッチパネル１１３、タッチパネル１１３の信号から数値データを作成するデータ入力部１４３を有している。さらに設備点検装置１０は、設備の点検項目を管理する点検項目管理部１６３、点検結果のデータを蓄積して管理する点検結果蓄積部１６５を機能ブロックとして有しており、点検結果蓄積部１６５に点検結果１７１を保持している。
【００１１】
また、設備管理システム２０は、点検対象設備の情報と設備点検装置１０の点検結果送信部１６４から送信された点検結果１７１を保持・管理するシステムである。設備点検管理システム３０は、携帯端末である設備点検装置１０と設備管理システム２０を含んでいる。
この発明の実施の形態１においては、点検対象の設備の点検を目視とカメラ１１１で行い、音声認識部１５２で作成された数値データと、画像認識部１５１で作成された数値データとを点検結果照合部１６１で比較・照合し、点検結果のデータを作成する。そして、その点検結果のデータを点検結果表示部１６２に表示する。
【００１２】
ここで、設備点検装置１０は、保守点検時に携帯し点検結果のデータを入力することが可能な携帯端末である。具体的には、点検設備専用の管理端末でもよいし、高機能携帯端末またはタブレット端末などに画像処理などのソフトを組み込んだ端末でかつ、カメラ及びマイクを有しタッチ操作により入力が可能な端末でもよい。
図２は、この発明の実施の形態１における設備点検装置の一実施例である。たとえば図２に示すように、設備点検装置１０のカメラを用いて例えば変圧器などの点検対象設備Ａの数値情報の画像データを表示し、表示している画像データからメータなどの点検項目の数値データを認識する。画像データから認識した数値データと、音声入力された数値データを照合し点検結果のデータとすることにより入力精度を向上させる。
【００１３】
次に、実施の形態１における設備点検装置の動作について説明する。図３は、この発明の実施の形態１における設備点検装置の点検処理の流れを示すフローチャートである。以下、設備点検装置１０において、点検結果１７１を点検結果蓄積部１６５に蓄積する処理の流れについてフローチャートを用いて説明する。
まず、ステップＳＴ１１において、作業者が目視した点検結果の数値情報を読み上げ、音声信号としてマイク１１２に入力し、その音声信号を音声入力部１４２が受け取り、音声入力部１４２において音声信号から音声データを作成する。
次に、ステップＳＴ１２において、音声入力部１４２から音声認識部１５２が音声データを受け取り、音声認識部１５２において音声データから数値データを作成する。
【００１４】
ステップＳＴ１３において、点検対象設備に付属した温度計などの計器の数値情報を映像信号としてカメラ１１１に入力し、その映像信号を画像入力部１４１が受け取り、画像入力部１４１において映像信号から画像データを作成する。
ステップＳＴ１４において、画像入力部１４１から画像認識部１５１が画像データを受け取り、画像認識部１５１において画像データから数値データを作成する。
ステップＳＴ１５において、点検結果照合部１６１がステップＳＴ１２、ステップＳＴ１４でそれぞれ作成された２つの数値データを比較する。そして、ステップＳＴ１６において、２つの数値データが同じ場合は、ステップＳＴ１７において、点検結果表示部１６２にそのデータを表示する。
ステップＳＴ１８において、点検結果表示部１６２に表示されたデータを目視にて確認し、ステップＳＴ１１において目視した点検結果の数値と同じ場合は、点検結果１７１として保存する。
【００１５】
一方、ステップＳＴ１６において、ステップＳＴ１２、ステップＳＴ１４でそれぞれ作成された２つの数値データが異なる場合は、まずステップＳＴ１９において、２つの数値データを点検結果表示部１６２に表示する。そして、ステップＳＴ２０において、ステップＳＴ１１で目視した点検結果の数値情報と同じ正しい値が有る場合は、ステップＳＴ２１において、２つの数値データから正しい値を選択して、点検結果１７１に保存する。
ステップＳＴ１８およびステップＳＴ２０において、目視した点検結果の数値情報と同じ値がない場合は、ステップＳＴ２２において、タッチパネル１１３を用いて手動にて正しい値を入力して、点検結果１７１として保存する。
設備点検装置１０で保存された点検結果１７１については、点検結果送信部１６４より必要に応じて、外部の設備管理システム２０に送信される。
【００１６】
以上のように、この実施の形態１によれば、マイクからの音声入力により正しい値が入力されなかった場合に、カメラの画像からの入力データを点検結果のデータとして用いることができ、手動による点検結果のデータ入力の手間を省略できるという効果がある。さらに、カメラの画像からの入力も行うため、２重のチェックを行うことができ、点検漏れを防止する効果もある。
【００１７】
実施の形態２．
図４は、実施の形態２における設備点検装置のブロック図である。図４において、実施の形態１と同一の符号については、実施の形態１と同一の構成であるので説明を省略する。図４に示すように、実施の形態２において点検結果蓄積部１６５は、前回の点検結果１７２を保持している。
被点検対象となる設備の点検は、数値に大きな変化がないことを点検し確認することに意義があるため、基本的に数値情報に大きな変化はなく、点検結果として類似する数値情報が表示される。よって、数値情報に大きな変化が生じた場合は、誤認識であるか異常であるか故障である場合が考えられる。従って、点検結果照合部１６１に前回の点検結果１７２を読み込み、前回の点検結果１７２を音声認識部１５２で作成された数値データおよび画像認識部１５１で作成された数値データとそれぞれ比較し、前回の点検結果１７２に近い値を点検結果のデータとして決定することにより、手動によるデータの入力を更に省略することができる。
【００１８】
図５は、実施の形態２における設備点検装置の点検処理の流れを示すフローチャートである。図５において、ＳＴ１１からＳＴ１５までは実施の形態１と同一であるので説明を省略する。
まず、ステップＳＴ１２とステップＳＴ１４でそれぞれ作成された２つの数値データが異なる場合に、ステップＳＴ１６において、点検結果照合部１６１が、点検結果蓄積部１６５を介して前回の点検結果１７２からデータを取り出し、ステップＳＴ１２とステップＳＴ１４で数値化した２つの数値データと前回の点検結果のデータをそれぞれ比較し、前回の点検結果１７２に近い値を点検結果のデータとして点検結果表示部１６２に表示する。
ステップＳＴ１８１において、点検結果表示部１６２に表示された数値データを目視にて確認し、ＳＴ１１において目視した点検結果の数値と同じ場合は、点検結果１７１として保存される。実施の形態２において、その他の処理フローについては、図３と同一であるので説明を省略する。
【００１９】
以上のように、実施の形態２によれば、ＳＴ１２とＳＴ１４で作成した２つの数値データと前回の点検結果１７２のデータとをそれぞれ比較し、前回の点検結果１７２に近い値を点検結果のデータとして決定することにより、手動によるデータの入力を省略できるという効果がある。
更に、音声データと画像データから作成した２つの数値データと前回の点検結果のデータとが大きく異なる場合には、数値の異常として検出し、故障を未然に防止できる効果もある。
【００２０】
実施の形態３．
図６は、この発明の実施の形態３における設備点検装置のブロック図である。図６において、実施の形態１と同一の符号については、実施の形態１と同一の構成であるので説明を省略する。
実施の形態３では、図６に示すように、画像認識部１５１は、過去に認識した画像とデータ、それらの画像とデータが誤認識であった場合の音声入力または手動入力による訂正値をセットで保存する認識辞書１８１を有している。また、画像認識部１５１において、画像認識部１５１で作成した数値データと認識辞書１８１とを照合する手段を含んでいる。以上のように、画像認識部１５１が認識辞書１８１を有すると共に、画像データと認識辞書とを照合する手段を有することにより、画像認識の精度をさらに向上させることができる。
【００２１】
次に、実施の形態３における設備点検装置の動作について説明する。実施の形態３においては、ステップＳＴ１１からステップＳＴ１４までは、実施の形態１と同一であるので説明を省略する。ステップＳＴ１４の後、画像認識部１５１で作成した数値データに対して、認識辞書１８１を参照し過去の訂正内容と画像を検索する。そして、過去に訂正された値がある場合は、訂正値に置き換える。画像認識部１５１において認識辞書１８１と照合した後は、実施の形態１のステップＳＴ１５からステップＳＴ２２と同様に処理される。
以上のように、実施の形態３によれば、画像認識部１５１に認識辞書１８１を設けたことにより、画像認識の精度をさらに向上でき、手動によるデータの入力の手間を省略できるという効果がある。
【００２２】
実施の形態４．
図７は、この発明の実施の形態４における設備点検装置のブロック図である。図７において、実施の形態２と同一の符号については、実施の形態２と同一の構成であるので説明を省略する。実施の形態２では、設備点検装置１０に前回の点検結果１７２を有し、点検結果照合部１６１において、音声データと画像データからそれぞれ作成した２つの数値データと前回の点検結果のデータとをそれぞれ比較する場合について述べた。
実施の形態４では、図７に示すように、設備点検装置１０に点検結果受信部１６６を設け、設備管理システム２０から過去の点検結果のデータを受信し、点検結果照合部１６１に過去の点検結果のデータを読み込み、音声データと画像データからそれぞれ作成した２つの数値データと過去の点検結果のデータとを比較して、点検結果のデータを決定する。これにより、手動による点検結果のデータの入力の手間を更に省略できる。
例えば、過去の点検結果のデータとして、平均値のデータを受信し、平均値に近い値を点検結果のデータとすることも可能である。
【００２３】
以上のように、実施の形態４によれば、音声データと画像データからそれぞれ作成した２つの数値データを過去の点検結果のデータと比較することにより、手動による点検結果のデータの入力の手間を削減、省略できるという効果がある。
更に、過去の点検結果のデータとして最大値、最小値を受信し、比較することにより最大または最小を超えている場合に数値の異常として検出し、故障を未然に防止できる効果もある。
【００２４】
実施の形態５．
図８は、この発明の実施の形態５における設備点検装置のブロック図である。図８において、実施の形態１と同じ符号については、実施の形態１と同一の構成であるので説明を省略する。実施の形態１では、設備点検装置１０の中の画像認識部１５１、音声認識部１５２でそれぞれ数値データを作成する場合について述べた。
実施の形態５では、図８に示すように、設備管理システム２０に画像認識サーバ２５１、音声認識サーバ２５２を設ける。実施の形態５においては、画像認識部１５１は、画像データを画像認識サーバ２５１に送信する手段と、画像認識サーバ２５１が作成した数値データを受信する手段を設け、音声認識部１５２は、音声データを音声認識サーバ２５２に送信する手段と、音声認識サーバ２５２が作成した数値データを受信する手段を設けている。よって、画像認識サーバ２５１と音声認識サーバ２５２が作成した精度の高いデータを点検結果照合部１６１の比較に用いることができる。
【００２５】
設備点検装置１０は、携帯端末でありリソースに限りがあるが、画像認識サーバ２５１にて数値データを作成することにより、例えば画像を高解像度化して精度を高くデータ化することができる。また、音声認識サーバ２５２にて認識することにより、大きな音声辞書を用いて精度を高くデータ化することができる。よって、実施の形態５によれば、画像認識、音声認識の精度をさらに向上させることができ、手動によるデータの入力の手間をさらに削減、省略できるという効果がある。
なお、この発明は、その発明の範囲内において、各実施の形態を自由に組み合わせたり、各実施の形態を適宜、変形、省略することが可能である。
【符号の説明】
【００２６】
１０：設備点検装置、  ２０：設備管理システム、  ３０：設備点検管理システム、
１１１：カメラ、  １１２：マイク、  １１３：タッチパネル、  １４１：画像入力部、１４２：音声入力部、  １４３：データ入力部、  １５１：画像認識部、
１５２：音声認識部、  １６１：点検結果照合部、  １６２：点検結果表示部、
１６３：点検項目管理部、  １６４：点検結果送信部、  １６５：点検結果蓄積部、
１６６：点検結果受信部、  １７１：点検結果、  １７２：前回の点検結果、
１８１:認識辞書、  ２５１:画像認識サーバ、  ２５２：音声認識サーバ。
【図１】
2015153342.tif 000003
【図２】
2015153342.tif 000004
【図３】
2015153342.tif 000005
【図４】
2015153342.tif 000006
【図５】
2015153342.tif 000007
【図６】
2015153342.tif 000008
【図７】
2015153342.tif 000009
【図８】
2015153342.tif 000010